(57)【特許請求の範囲】
【請求項１】
両側に立設した縦管と両側の縦管間に架設して前記縦管に両端を連通させた複数本の横管とで構成され、両側の前記縦管の下端に温水入口と温水出口が設けられ、温水入口から流入した温水が内部を通って温水出口から出るように温水が循環することにより放熱する温水端末器において、前記温水出口を設けた方の縦管内に縦管のエアー溜まりとなる上端部から温水出口に至るようにエアー抜き管を配設し、この前記エアー溜まりとなる位置のエアーを前記エアー抜き管を介して外部に抜くためにエアーを前記温水出口側に導くエアー導出手段を設けたことを特徴とする温水端末器のエアー抜き装置。
【請求項２】
前記エアー導出手段を減圧部で構成し、減圧部にてエアー抜き管からエアーを吸い込むようにしたことを特徴とする請求項１記載の温水端末器のエアー抜き装置。
【請求項３】
前記温水端末器の温水出口近傍にオリフィスを設け、このオリフィスにてオリフィスの下流側に減圧部を形成したことを特徴とする請求項２記載の温水端末器のエアー抜き装置。
【発明の詳細な説明】
【０００１】
【発明の属する技術分野】
本発明は、温水を循環させて暖房したり、乾燥したりする温水端末器においてエアー溜まりができないようにエアーを抜くエアー抜き装置に関するものである。
【０００２】
【従来の技術】
従来、温水端末器Ａの一例としてのタオル乾燥器Ａ１は図８に示すように構成されていた。タオル乾燥器Ａ１は両側の縦管１と両側の縦管１間に架設した複数本の横管２とで構成されており、横管２の両端を両側の縦管１に連結して連通させてある。一方の縦管１の下端には温水入口３を設けてあり、他方の縦管１の下端には温水出口４を設けてある。縦管１の上端は袋ナットのような蓋５にて閉塞してあるが、温水出口４がある縦管１の上端の蓋５の部分にはエアー抜きバルブ６を設けてある。
【０００３】
この温水端末器Ａとしてのタオル乾燥器Ａ１に温水を供給する熱源機Ｂは屋外等に設置され、熱源機Ｂは熱交換器７、貯水タンク８、循環ポンプ９等で構成されている。貯水タンク８には給水管１０を連結してあり、給水管１０には給水バルブ１１や補給水電磁弁１２を配置してある。貯水タンク８には水位センサーのような水位検出手段を設けてあり、水位に応じて補給水電磁弁１２を開閉して貯水タンク８内を一定の水位に保つことができるようになっている。貯水タンク８の上部は大気開放口１３で大気に開放してある。タオル乾燥器Ａ１の温水入口３と貯水タンク８とは温水往路管１４にて連通させてあり、タオル乾燥器Ａ１の温水出口４と貯水タンク８とは温水復路管１５にて連通させてある。温水往路管１４には循環ポンプ９と熱交換器７と熱動弁１６を順に配置してある。
【０００４】
図８のように施工した状態で図９に示すように自動試運転するが、自動試運転時には給水バルブ１１が開になり、水が給水管１０から貯水タンク８に供給される。貯水タンク８の水は循環ポンプ９により熱交換器７に入り、熱交換器７で加熱された温水が熱動弁１６を通り、タオル乾燥器Ａ１の温水入口３に入り、タオル乾燥器Ａ１の温水通路を通り、温水出口４から貯水タンク８に戻る。このようなサイクルで自動試運転するが、タオル乾燥器Ａ１内にあった空気は抜けないのでタオル乾燥器Ａ１の上部にエアー溜まりができる。このエアー溜まりができると温度分布が均一にならないため、このエアーを外部に抜くが、図１０に示すようにエアー抜きバルブ６を開放し、そしてエアーを抜き、その後、エア抜きバルブ６を閉塞する。エアー抜き作業を行い貯水タンク８の水位変動がなければ水張りが完了し、熱交換器７による加熱により温水端末器Ａとしてのタオル乾燥器Ａ１に温度上昇があれば自動試運転は完了する。自動試運転を終了して通常の使用状態にしたときは、貯水タンク８の水が循環ポンプ９により熱交換器７に入り、熱交換器７で加熱された温水が熱動弁１６を通り、タオル乾燥器Ａ１の温水入口３に入り、タオル乾燥器Ａ１の温水通路を通り、温水出口４から貯水タンク８に戻るようなサイクルで温水が循環し、タオル乾燥器Ａ１に掛けたタオルが乾燥される。
【０００５】
【発明が解決しようとする課題】
ところで、上記従来例にあっては、エアー抜きバルブ６を開閉してエアーを抜くために次のような問題がある。
（１）エアー抜き作業をするとき、１人の作業者が熱源機Ｂを運転し、他の１人の作業者がエアー抜きバルブ６を開閉する作業をしなければならなく、エアー抜き作業が２人作業となって人手を要するという問題がある。
（２）エアー抜きバルブ６より飛散した温水により室内の汚れが発生するという問題がある。
（３）エアー抜きを行うとき、エアー抜きバルブ６の閉塞のタイミングがずれた場合、エアー抜き不足が発生するという問題がある。
（４）エアー抜き不十分な場合、循環ポンプ９を停止したときに、図１１のようにタオル乾燥器Ａ１の水位と貯水タンク８の水位は同じになって温水が貯水タンク８に戻り、貯水タンク８の大気開放口１３から温水がオーバーフローするという問題がある。
（５）エアー抜きバルブ６の閉塞が不十分であると上部にエアー溜まりができて温水端末器Ａとしてのタオル乾燥器Ａ１の温度分布が悪くなる。
【０００６】
本発明は上記の点に鑑みてなされたものであり、人手を要せず、室内を汚したりすることなく容易にエアーを抜くことができ、しかもエアーを確実に抜くことができる温水端末器のエアー抜き装置を提供することを課題とするものである。
【０００７】
【課題を解決するための手段】
上記課題を解決するための本発明の温水端末器のエアー抜き装置は、両側に立設した縦管１と両側の縦管１間に架設して前記縦管１に両端を連通させた複数本の横管２とで構成され、両側の前記縦管１の下端に温水入口３と温水出口４が設けられ、温水入口３から流入した温水が内部を通って温水出口４から出るように温水が循環することにより放熱する温水端末器Ａにおいて、前記温水出口４を設けた方の縦管１内に縦管１のエアー溜まりとなる上端部から温水出口４に至るようにエアー抜き管２０を配設し、この前記エアー溜まりとなる位置のエアーを前記エアー抜き管２０を介して外部に抜くためにエアーを前記温水出口４側に導くエアー導出手段を設けたことを特徴とする。
【０００８】
上記のように構成したことにより、両側に立設した縦管１と両側の縦管１間に架設して前記縦管１に両端を連通させた複数本の横管２とで構成され、両側の前記縦管１の下端に温水入口３と温水出口４が設けられた温水端末器Ａに一方の縦管１の下端の温水入口３から一方の縦管１に流入した温水が複数本の横管２に分れて他方の縦管１に流れ、他方の縦管１の下端の温水出口４から出るように温水を循環させるときエアー溜まりとなる位置のエアーをエアー抜き管２０を介して温水出口４側に導いて温水出口４から外部にエアー抜くことができる。これにより従来のようなエアー抜きバルブ６の開閉の操作が必要なく、エアー抜き作業に人手を要したり、エアー抜きバルブ６の開閉操作によりエアー抜き不足を発生したり、また室内に温水が飛散して汚れが発生したり、エアー抜き不足により温度分布が悪くなったりしない。また、縦管１の上部や上部の横管２に溜まるエアーはエアー抜き管２０にて下部の温水出口４に導かれ、温水出口４から外部に抜かれる。またエアー抜き管２０は縦管１に挿通されて外観上見えない。
【００１０】
また前記エアー導出手段を減圧部２１で構成し、減圧部２１にてエアー抜き管２０からエアーを吸い込むようにしたことを特徴とすることも好ましい。この場合、減圧部２１よりエアーを吸い込んでエアーを抜くことができ、エアーを簡単且つ確実に抜くことができる。
【００１１】
また前記温水端末器Ａの温水出口４近傍にオリフィス２２を設け、このオリフィス２２にてオリフィス２２の下流側に減圧部２１を形成したことを特徴とすることも好ましい。この場合、温水が循環することでオリフィス２２の下流側に減圧部２１を形成し、この減圧部２１にてエアーを吸い込んでエアーを抜くことができる。これにより温水の循環にて減圧部２１を形成できてエアーを簡単且つ確実に抜くことができる。また減圧部２１に抜いたエアーを温水の循環で導いて外部にスムーズに放出することができる。またエアー抜き作業時以外の通常の使用時にもエアー抜きが自動的にできる。これにより温水端末器Ａにエアーが溜まることがなくて温水端末器Ａの温度分布を均一にできる。
【００１５】
【発明の実施の形態】
本例の場合も、温水端末器Ａは従来例で述べたようにタオル乾燥器Ａ１である。図１や図３に示すようにタオル乾燥器Ａ１は両側の縦管１と両側の縦管１間に架設した複数本の横管２とで構成されており、横管２の両端を両側の縦管１に連結して連通させてある。一方の縦管１の下端には温水入口３を設けてあり、他方の縦管１の下端には温水出口４を設けてあり、縦管１の上端は袋ナットのような蓋５にて閉塞してある。温水入口３を設けた方の縦管１の上端の蓋５の下には図４に示すように充填材２４が充填してあると共に充填材２４の下面に円弧面２５を設けてあり、この縦管１の上端にエアーが溜まらないようにしてある。
【００１６】
温水出口４を設けた縦管１内には縦管１の上端から縦管１の下端の温水出口４に至るようにエアー抜き管２０を挿通してある。このエアー抜き管２０の上端は図５に示すように蓋５の下面と僅かに間隙を隔てる位置まで設けてある。縦管１内には図６に示すように温水出口４よりやや上方に離れた位置で管路を絞るオリフィス２２を設けてあり、オリフィス２２の下流側に減圧部２１を形成してある。上記エアー抜き管２０の下端はオリフィス２２に貫通しており、エアー抜き管２０の下端が減圧部２１に開放されている。本例の場合、このオリフィス２２の下流側の減圧部２１がエアー抜き管２０を介してエアーを導くエアー導出手段となっている。
【００１７】
この温水端末器Ａとしてのタオル乾燥器Ａ１に温水を供給する熱源機Ｂは屋外等に設置され、熱源機Ｂは従来例と同様に熱交換器７、貯水タンク８、循環ポンプ９等で構成されている。貯水タンク８には給水管１０を連結してあり、給水管１０には給水バルブ１１や補給水電磁弁１２を配置してある。貯水タンク８には水位センサーのような水位検出手段を設けてあり、水位に応じて補給水電磁弁１２を開閉して貯水タンク８内を一定の水位に保つことができるようになっている。貯水タンク８の上部は大気開放口１３で大気に開放してある。タオル乾燥器Ａ１の温水入口３と貯水タンク８とは温水往路管１４にて連通させてあり、タオル乾燥器Ａ１の温水出口４と貯水タンク８とは温水復路管１５にて連通させてある。温水往路管１４には循環ポンプ９と熱交換器７と熱動弁１６を順に配置してある。上記熱交換器７は例えばガスの燃焼熱と熱交換するようになっているが、電気的に得られる熱と熱交換するものであってもよい。また熱交換器７でなく、電気的に加熱されるヒータをタンクに内装した加熱器であってもよい。上記熱源機Ｂは図の例ではタオル乾燥器Ａ１だけに接続してあるように図示してあるが、床暖房装置、パネルヒータ等の温水端末器Ａにも同時に接続してある。
【００１８】
図１のように温水端末器Ａとしてのタオル乾燥器Ａ１が施工された後、自動試運転がされる。自動試運転時には給水バルブ１１が開になり、水が給水管１０から貯水タンク８に供給される。貯水タンク８の水は循環ポンプ９により熱交換器７に入り、熱交換器７で加熱された温水が熱動弁１６を通り、タオル乾燥器Ａ１の温水入口３に入り、タオル乾燥器Ａ１の縦管１や横管２よりなる温水通路を通り、温水出口４から貯水タンク８に戻る。このようなサイクルで自動試運転するが、タオル乾燥器Ａ１内にあった空気は抜けないのでタオル乾燥器Ａ１の上部にエアー溜まるが、このエアーは次のように抜かれる。
【００１９】
温水が循環するとき、オリフィス２２を通って温水出口４から出て行くが、オリフィス２２を通過するとき温水が絞られて流れ、オリフィス２２の上流側が高圧となると共にオリフィス２２の下流側が低圧となり、オリフィス２２の下流側に減圧部２１が形成される。一方、タオル乾燥器Ａ１内の空気は圧縮されて高圧になり、減圧部２１との差圧にてエアーの抜き管２０をエアーが流れる。つまり、減圧部２１からエアー抜き管２０を介してエアーを吸い込むようにエアーが減圧部２１に導かれる。減圧部２１に導かれたエアーが温水出口４から出る温水の流れにて温水出口４から出て行き、温水復路管１５、熱交換器７、貯水タンク８を通り、大気開放口１３から外部に排出される。このようにしてエアー溜まりができないようにエアーが抜かれた後、貯水タンク８の水位変動がなければ図２に示すように水張りを完了し、熱交換器７による加熱により温水端末器Ａとしてのタオル乾燥器Ａ１に温度上昇があれば自動試運転は完了する。
【００２０】
上記のようにタオル乾燥器Ａ１の上部にエアー溜まりができないようにエアーを抜くために従来のようなエアー抜きバルブ６の開閉の操作が必要なく、エアー抜き作業に人手を要したり、エアー抜きバルブ６の開閉操作によりエアー抜き不足を発生したり、また室内に温水が飛散して汚れが発生したり、エアー抜き不足により温度分布が悪くなったりしない。
【００２１】
自動試運転を終了して通常の使用状態にしたときは、貯水タンク８の水が循環ポンプ９により熱交換器７に入り、熱交換器７で加熱された温水が熱動弁１６を通り、タオル乾燥器Ａ１の温水入口３に入り、タオル乾燥器Ａ１の温水通路を通り、温水出口４から貯水タンク８に戻るようなサイクルで温水が循環し、タオル乾燥器Ａ１の横管２に掛けたタオルが乾燥される。この通常の使用状態でも循環する温水がオリフィス２２を通り、たとえ、タオル乾燥器Ａ１上部にエアーが溜まる事態が生じてもエアーが自動的に抜かれる。またエアー溜まりがない場合、上記エアー抜き管２０を上記差圧にて温水が流れ、タオル乾燥器Ａ１の上部に円滑に温水が循環し、タオル乾燥器Ａ１全体の温度分布が均一になる。
【００２２】
また図７は温水端末器Ａの他の例を示すものである。この場合、複数本の往路用縦管１ａと複数本の復路用縦管１ｂとを並設してあり、複数本の往路用縦管１ａと複数本の復路用縦管１ｂの上端を上ヘッダー２ａに連結してあり、複数本の往路用縦管１ａの下端を下ヘッダー２ｂに連結してあり、複数本の復路用縦管１ｂの下端を下ヘッダー２ｃに連結してある。下ヘッダー２ｂには温水入口３を設けてあり、下ヘッダー２ｃには温水出口４を設けてある。この温水端末器Ａも復路用縦管１ｂにエアー抜き管２０を挿通してあり、エアー抜き管２０の上端を上ヘッダー２ａに位置させてあり、エアー抜き管２０の下端を温水出口４の近傍に位置させてあり、上記例と同様にエアーを抜くことができるようになっている。
【００２３】
なお、上記例では温水端末器Ａとしてタオル乾燥器Ａ１の例について述べたが、その他の温水端末器Ａでも同様に実施できる。また温水端末器Ａの構成は上記実施の形態の例で述べたような縦管１と横管２とからなるものに限定されず、コイル状等の種々の形状のものが採用できる。また上記例ではオリフィス２２を設けることで温水の流れにて減圧部２１を形成し、この減圧部２１にてエアーを吸い込む例について述べたが、オリフィス２２にて減圧部２１を形成するものに限定されず、減圧弁等のその他の手段で減圧部２１を形成してエアーを吸い込むものであってもよい。さらに上記例では減圧部２１による吸い込みにてエアー抜き管２０からエアーに抜く例について述べたが、エアー抜き管２０を介してエアーを導くことができるならどのような手段を用いてもよい。つまり、エアー導出手段としては減圧部２１に限定されず、負圧源等を用いてもよい。
【００２４】
【発明の効果】
本発明の請求項１の発明は、両側に立設した縦管と両側の縦管間に架設して前記縦管に両端を連通させた複数本の横管とで構成され、両側の前記縦管の下端に温水入口と温水出口が設けられ、温水入口から流入した温水が内部を通って温水出口から出るように温水が循環することにより放熱する温水端末器において、前記温水出口を設けた方の縦管内に縦管のエアー溜まりとなる上端部から温水出口に至るようにエアー抜き管を配設し、このエアー溜まりとなる位置のエアーを前記エアー抜き管を介して外部に抜くためにエアーを前記温水出口側に導くエアー導出手段を設けたので、温水端末器に温水を循環させるときエアー溜まりとなる位置のエアーをエアー抜き管を介して温水出口側に導いて温水出口から外部にエアー抜くことができるものであって、従来のようなエアー抜きバルブの開閉の操作が必要なく、エアー抜き作業に人手を要したり、エアー抜きバルブの開閉操作によりエアー抜き不足を発生したり、また室内に温水が飛散して汚れが発生したり、エアー抜き不足により温度分布が悪くなったりしないものであり、エアーを簡単且つ確実に抜くことができるものであり、また、エアー抜き管は縦管に挿通されて外観上見えないものである。
【００２５】
また本発明の請求項２の発明は、請求項１において、前記エアー導出手段を減圧部で構成し、減圧部にてエアー抜き管からエアーを吸い込むようにしたので、減圧部よりエアーを吸い込んでエアーを抜くことができ、エアーを簡単且つ確実に抜くとができるものである。
【００２６】
また本発明の請求項３の発明は、請求項２において、前記温水端末器の温水出口近傍にオリフィスを設け、このオリフィスにてオリフィスの下流側に減圧部を形成したので、温水が循環することでオリフィスの下流側に減圧部を形成し、この減圧部にてエアーを吸い込んでエアーを抜くことができるものであって、温水の循環にて減圧部を形成してエアーを簡単且つ確実に抜くことができるものであり、また減圧部に抜いたエアーを温水の循環で導いて外部にスムーズに放出することができるものであり、さらにエアー抜き作業時以外の通常の使用時にもエアー抜きが自動的にできるものであって、これにより温水端末器にエアーが溜まることがなくて温水端末器の温度分布を均一にできるものである。
【図面の簡単な説明】
【図１】本発明の実施の形態の一例の施工した状態を示す断面図である。
【図２】同上の自動試運転した状態の断面図である。
【図３】同上の温水端末器を示す断面図である。
【図４】図３のＸ部拡大断面図である。
【図５】図３のＹ部拡大断面図である。
【図６】（ａ）は図３のＺ部拡大断面図、（ｂ）は（ａ）の要部拡大断面図である。
【図７】同上の温水端末器の他の例の断面図である。
【図８】従来例の施工した状態の断面図である。
【図９】同上の自動試運転した時の状態の断面図である。
【図１０】同上のエアー抜き作業時の状態の断面図である。
【図１１】同上の循環ポンプと停止した時の状態の断面図である。
【符号の説明】
Ａ  温水端末器
Ａ１  タオル乾燥器
１  縦管
２  横管
３  温水入口
４  温水出口
２０  エアー抜き管
２１  減圧部
２２  オリフィス
【図１】
0003917868.tif 000002
【図２】
0003917868.tif 000003
【図３】
0003917868.tif 000004
【図４】
0003917868.tif 000005
【図５】
0003917868.tif 000006
【図６】
0003917868.tif 000007
【図７】
0003917868.tif 000008
【図８】
0003917868.tif 000009
【図９】
0003917868.tif 000010
【図１０】
0003917868.tif 000011
【図１１】
0003917868.tif 000012